Podtech/llm-jp-corpus-v4-ja_patent huggingface dataset:
(57)【要約】【課題】筺体の外面に施されたデザインを損ねることなく、筺体内にアンテナ用の大きなスペースを確保しなくても済むようにする。【解決手段】アンテナを介して無線通信を行う携帯端末であって、アンテナの少なくとも一部分が当該携帯端末の筺体外面に貼付され、アンテナの筺体外面に貼付された部分が透明である。【選択図】図１
2012065034.tif 000002
【特許請求の範囲】
【請求項１】
アンテナを介して無線通信を行う携帯端末であって、
前記アンテナの少なくとも一部分が当該携帯端末の筺体外面に貼付され、
前記アンテナの前記筺体外面に貼付された部分が透明である携帯端末。
【請求項２】
請求項１に記載の携帯端末において、
前記アンテナの前記筺体外面に貼付された部分がメアンダ状に形成された携帯端末。
【発明の詳細な説明】
【技術分野】
【０００１】
本発明は、無線通信を行う携帯端末に関する。
【背景技術】
【０００２】
７７０ＭＨｚ以下の低周波数の電波に対応したアンテナでは、高周波数の電波に対応したアンテナに比べて長い素子長が必要となる。
【０００３】
例えばデジタルテレビ放送の電波の下限周波数である４７０ＭＨｚに対応するアンテナの場合、１／４波長のモノポールアンテナで１６０ｍｍ程度の素子長が必要となる。また、ＦＭ放送の下限周波数である７６ＭＨｚに対応するアンテナの場合、１／４波長のモノポールアンテナで９９０ｍｍ程度の素子長が必要となる。
【０００４】
低周波数の電波に対応したアンテナを携帯電話機等の携帯端末に設ける場合、携帯端末の筺体内に内蔵される内蔵アンテナと、引き出し形の単一または多段のロッドアンテナとを組み合わせる。なお、ロッドアンテナは、収納時には携帯端末の筐体内に格納される。そのため、内蔵アンテナ用のスペースとロッドアンテナの収納用のスペースとを携帯端末の筺体内に確保する必要がある。
【０００５】
ところが、近年、携帯端末の小型化が進んできており、アンテナ用のスペースを携帯端末の筺体内に確保することが難しくなってきている。
【０００６】
筺体内に確保するアンテナ用のスペースをできるだけ小さくするために、素子に誘電体短縮を利用したり、素子を折り返す等コンパクト化したりすることが行われている。それでも、筺体の大きさに対して相対的に大きなスペースをアンテナ用として筺体内に確保する必要がある。
【０００７】
そこで、携帯端末の筺体内にアンテナ用の大きなスペースを確保しなくても済むようにするための技術が求められ、このような技術が例えば特許文献１に開示されている。
【０００８】
特許文献１に開示されている技術では、小型携帯機器の外装筺体に、導電層からなる平面アンテナを形成している。これにより、携帯端末の筺体内にアンテナ用の大きなスペースを確保しなくても済むようになる。
【先行技術文献】
【特許文献】
【０００９】
【特許文献１】特開２００７−２２１６１０号公報
【発明の概要】
【発明が解決しようとする課題】
【００１０】
上述した特許文献１に開示されている技術では、装飾フィルムによって平面アンテナを隠蔽している。この場合、装飾フィルムによって携帯端末の筺体の外面に施されたデザインを損ねてしまうという問題点がある。
【００１１】
本発明は、筺体の外面に施されたデザインを損ねることなく、筺体内にアンテナ用の大きなスペースを確保しなくても済む携帯端末を提供することを目的とする。
【課題を解決するための手段】
【００１２】
上記目的を達成するために本発明の携帯端末は、アンテナを介して無線通信を行う携帯端末であって、
前記アンテナの少なくとも一部分が当該携帯端末の筺体外面に貼付され、
前記アンテナの前記筺体外面に貼付された部分が透明である。
【発明の効果】
【００１３】
本発明は以上説明したように構成されているので、筺体の外面に施されたデザインを損ねることなく、筺体内にアンテナ用の大きなスペースを確保しなくても済むようになる。
【図面の簡単な説明】
【００１４】
【図１】本発明の携帯端末の実施の一形態の構成を説明するための図である。
【発明を実施するための形態】
【００１５】
以下に、本発明の実施の形態について図面を参照して説明する。
【００１６】
図１は、本発明の携帯端末の実施の一形態の構成を説明するための図であり、（ａ）は携帯端末である携帯電話機の外観を示す斜視図、（ｂ）は（ａ）に示したＡ−Ａ’断面図である。
【００１７】
なお、ここでは、折りたたみ式の携帯電話機を携帯端末の一例として説明するが、携帯電話機は、折りたたみ式に限定されない。
【００１８】
また、携帯端末は携帯電話機に限定されない。携帯端末としては携帯電話機以外にも例えば、無線通信機能を有する小型のゲーム機及び音楽再生装置や、ＰＤＡ（Ｐｅｒｓｏｎａｌ  Ｄａｔａ  Ａｓｓｉｓｔａｎｔｓ）等が考えられる。
【００１９】
本実施形態では図１（ａ）に示すように、携帯電話機１０の筺体の外面に透明フィルム１１が貼付されている。そして、透明フィルム１１上には、図１（ｂ）に示すように、アンテナとして機能する透明電極１２が形成され、透明フィルム１１と透明電極１２とから透明電極フィルム１３が構成されている。
【００２０】
透明フィルム１１は例えば、ＰＥＴ（Ｐｏｌｙｅｔｈｙｌｅｎｅ  Ｔｅｒｅｐｈｔｈａｌａｔｅ）フィルムである。
【００２１】
透明電極１２としては例えば、ＩＴＯ（Ｉｎｄｉｕｍ  Ｔｉｎ  Ｏｘｉｄｅ）等の導電性を有する透明電極材料が用いられている。
【００２２】
また、透明電極１２は、メアンダ状に形成されている。メアンダ状とは、クランク状に蛇行させた形状のことである。アンテナをメアンダ状にすることにより、アンテナを小型化することができる。但し、透明電極１２は必ずしもメアンダ状に形成されていなくてもよく、アンテナを小型化でき、無線通信の性能を劣化させない形状であれば、透明電極１２を他の形状に形成してもよい。
【００２３】
また、透明電極１２の給電点は、携帯電話機１０の筺体内にあり、筺体内の回路基板（不図示）等とピン（不図示）等によって接続される。これにより、透明電極１２へ給電される。
【００２４】
ここでは、アンテナの全ての部分を透明電極で形成して携帯電話機１０の筺体の外面に貼付した場合について説明したが、アンテナの一部分だけを透明電極で形成し、透明電極で形成された部分だけを携帯電話機１０の筺体の外面に貼付してもよい。
【００２５】
このように本実施形態では、アンテナの少なくとも一部分が携帯電話機１０の筺体外面に貼付され、筺体外面に貼付された部分が透明となっている。
【００２６】
これにより、筺体の外面に施されたデザインを損ねることなく、筺体内にアンテナ用の大きなスペースを確保しなくても済むようになる。特に、７７０ＭＨｚ以下の低周波数の電波に対応したアンテナを備えた携帯端末において顕著な効果が期待できる。
【符号の説明】
【００２７】
１０    携帯電話機
１１    透明フィルム
１２    透明電極
１３    透明電極フィルム
【図１】
2012065034.tif 000003
(57)【要約】【課題】本発明は、自動車等のタイヤから受ける振動、衝撃を利用した、発電装置を提供する。【解決手段】ホイール（２）のセンターディスク（３）の適当なる位置に、リング溝（４）を設けて、該溝に振動発電素子（５）を埋めこみ、これに配線回路を施し、固定手段（６）にて該溝を封じて、該発電素子を固定する。【選択図】図２
2012065527.tif 000002
【特許請求の範囲】
【請求項１】
ホイール（２）のセンターディスク（３）の適当なる位置にリング溝（４）を設け、このリング溝（４）に密着させて振動発電素子（５）を装着固定して設け、また振動発電素子（４）より配線回路を施した電気回路を設け、固定手段（６）にてリング溝（４）を封鎖して固定した特徴より成る、振動発電素子および圧電素子を利用した、タイヤ振動発電装置。
【発明の詳細な説明】
【技術分野】
【０００１】本発明は、自動車等のタイヤを設けた乗物に於いて、走行中のタイヤ振動を利用した、発電装置の技術に関するものである。
【背景技術】
【０００２】従来、自動車類はダイナモのような発電装置で電気を供給している。
最近、圧電素子の研究が進んでおり、応援用メガホンにＬＥＤ等が付けられていて、装着された圧電素子部分を叩くと、その振動圧力によりＬＥＤが点灯するもの。また、道路路面に発電素子を敷き詰めておいて、人や自動車等がその上を通る振動圧力により発電を起こしてＬＥＤ等に電気を供給するようなものが発表されている。
近年、２００８−５４４５０・圧電発電装置のごとく、タイヤ内部に圧電素子を設けたものが、公開されている。
【発明の開示】
【発明が解決しようとする課題】
【０００３】現在、自転車、オートバイ、自動車等は小型発電機を搭載してウィンカーや夜間のライト用に発電供給したり、バッテリーの充電に利用されたりしているのは、周知の事実である。また、最近の圧電素子、つまり発電素子の発電能力は開発技術により、年々大きくなりまもなく大出力のものが出てくるのは、時間のもんだいであると推察できる。
現時点では、発電素子の能力を最大限に生かしたものは、まだまだ、実用化には至っていないが、本発明は自動車の路面より受ける振動がまずホイールに、直接的に懸かってくるので、この点を研究しながらこれらの課題を達成するために、なされたものである。
【課題を解決するための手段】
【０００４】まず出きる限りのシンプルな構成とする。以下、その手段構成を説明する。自動車等に車輪として使用されている、ホイール（２）は、センターディスク（３）とリム（７）に大別され、リム（７）にタイヤ（１）を装着したものを、総称としてタイヤホイールと呼ぶ。
ホイール（２）の円盤状のセンターディスク（３）の適当なる位置に、ある程度の肉厚を要した部分に、円形状にリング溝（４）を設ける。
そして、この該溝に密着して、この溝に合わせて挿入させた、振動発電素子（５）をリング状に設ける。そして該発電素子より配線回路を施して、バッテリー等へ電気回路を設ける。最後に固定手段（６）を設けて、これでリング溝（４）の外側を封鎖固定する。
本発明はこのような構成および特徴からなる、振動発電素子および圧電素子を利用した、タイヤ振動発電装置である。
【発明の効果】
【０００５】本発明は、自動車等の走行中の路面から受ける、数々の振動や衝撃はタイヤ（１）から、休みなく強い、衝撃振動圧力（８）を受ける事になり、その発電量は豊富に得られる。この電気エネルギーによりバッテリーの充電や照明機器、ウインカー、ライト照明の電気を補う事が出来るまた、大容量出力の発電素子であれば、今の発電装置は、無くなる可能性も考えられる。
【発明を実施するための最良の形態】
【０００６】本構成は、出来る限りシンプルに形成されている。ホイール（２）の円盤状のセンターディスク（３）の適当なる肉厚（該発電素子が挿入できるスペースのある所で良い）のある適当なる位置に、円形状にリング溝（４）を加工して設ける。つぎに、この該溝に密着させて、振動発電素子（５）を装填して設ける。当然この振動発電素子（５）は輪状またはリング状に形成されたものがベストである。この該溝に埋め込まれた振動発電素子（５）は、タイヤ（１）から強い衝撃振動圧力（８）を受けた、センターディスク（３）のリング溝（４）の、部分が伸縮し歪む圧力により、確実に発電する。そしてこの起電電気を該発電素子から、配線により電気回路を形成し必要部位に結線する最後に、リング溝（４）の外側を固定手段（６）により封鎖固定して設け、振動発電素子（５）の固定をさらに強化する。
【実施例】
【０００７】普通に自動車を運転すれば、路面からの振動などがあるが、この衝撃が、我が愛車に役立つ発電効果を成していると思うと、ドライブも楽しくなる。本発明は今後の電気自動車時代を担う存在になるだろう。
【図面の簡単な説明】
【０００８】
【図１】本発明の取付側面図である。
【図２】本発明のＡ−Ａ断面図である。
【符号の説明】
【００１１】１  タイヤ
２  ホイール
３  センターディスク
４  リング溝
５  振動発電素子
６  固定手段
７  リム
８  衝撃振動圧力
【図１】
2012065527.tif 000003
【図２】
2012065527.tif 000004
(57)【要約】      （修正有）【課題】現在の電気自動車、ハイブリット車は、主流のガソリン車と比較すると、バッテリーの容量不足からくる制限で、圧倒的に走行距離が短く、また充電時間が長いため、ガソリン補給時間と比較すると、まだまだ本格的実用段階とは言えず、バッテリー容量不足の解消と充電時間の短縮化を図る。【解決手段】ホイール内に発電機を組み込み、走行中に発電することにより、走行距離を飛躍的に伸ばし、また同時に停車して充電する場合にも、バッテリーの消耗量が少ないことから、充電時間の短縮化を実現する。【選択図】図１
2012065478.tif 000002
【特許請求の範囲】
【請求項１】
ホイールの中央部外周に永久磁石群を均一に配置し図１-1、しっかりと固定したものをプラスチックなどの磁性化しない材質のカバーで覆う図２-3。そのカバー内側と磁石の間はスペースがあり、カバーには中心部に鉄など磁性化するものを使用していないコイル群をしっかりと取り付ける。図２-4
コイルと永久磁石の隙間は極めて狭く、より多くの電流がコイルに発生するようにする。カバー両側は完全に固定せずにスライドする事と、下部に重りを付ける事によってホイール中心部は回転するが、カバーは常に静止状態を保つようにする。
このような構造で、永久磁石の回転が電磁誘導でコイル内に電気を発生させることができる。
【発明の詳細な説明】
【技術分野】
【０００１】
本発明は電気自動車、ハイブリット車などにおいて、バッテリーを動力源とする必要がある車両の為の発電機である。
【先行技術文献】
【特許文献】
【０００２】
Ｈ02Ｋ21/14    Ｇ
Ｈ02Ｋ21/12    Ｇ
5Ｈ621
【背景技術】
【０００３】
ガソリンエンジン車両では、簡易に燃料補給ができる為、エンジン負荷は多くなり、燃費は悪くなるが、エンジンの回転と同時にベルトで発電機を回し、それによって作られた電気をバッテリーの充電に充てている。バッテリーも駆動力としては使われず、主に電気系統と、始動時のスターターを回すための電気として使用している。そのためそれほどの容量を必要としていない。しかし電気自動車はバッテリーを駆動の為の主動力源としている。
モーター走行中に同じようにベルトで発電機を回すことは発電効率の損失であり、まったく意味がない。
またハイブリット車もバッテリー走行を長くして燃費を良くしたい。しかしバッテリーの重量を考慮した場合に、積載するバッテリーの個数は限られてくる。したがって両車種とも画期的に大容量なバッテリーか、または充電をする為にバッテリーを消費することが無い充電方法が望まれる。
【発明の概要】
【発明が解決しようとする課題】
【０００４】
現在の電気自動車、ハイブリット車はバッテリーの容量不足からくる制限で、バッテリー走行距離が短く、また充電時間が長いため本格的実用段階とは言えない。
【０００５】
本発明はバッテリー容量不足と充電時間の短縮化を目的とするものである。
【課題を解決するための手段】
【０００６】
上記の問題を解決する為に発電機をタイヤのホイールに装着することにより可能になる。
まず現在のタイヤ内はチューブレスであり、中に空間があるため車両の中に改めて取り付けのための設計をし直す必要が無い。
走行中タイヤは回転をしておりこの回転エネルギーを発電エネルギーに利用する。従ってベルトなどでモーターなどから無駄に電源を使う構造が必要無い。
【０００７】
ホイールの中央部外周に永久磁石群を均一に配置し図１-1、しっかりと固定したものをプラスチックなどの磁性化しない材質のカバーで覆う図２-3。そのカバー内側と磁石の間はスペースがあり、カバーには中心部に鉄など磁性化するものを使用していないコイル群をしっかりと取り付ける。図２-4
コイルと永久磁石の隙間は極めて狭く、より多くの電流がコイルに発生するようにする。カバー両側は完全に固定せずにスライドする事と、下部に重りを付ける事によってホイール中心部は回転するが、カバーは常に静止状態を保つようにする。
このような構造で、永久磁石の回転が電磁誘導でコイル内に電気を発生させることができる。
【発明の効果】
【０００８】
ころがる力を利用することにより、発電の為にバッテリーの消費をすることなく発電することができ、充電ができる。
新たな取り付けスペースを考慮する必要がない。
効果として走行距離が飛躍的に伸びる。短い距離の走行でも走りながら充電しているため、停車充電時間が短くなる。
【図面の簡単な説明】
【０００９】
【図１】ホイールに永久磁石を装着した図
【図２】ホイール断面図(縦)
【図３】ホイール断面図（横）
【図４】車両取り付け図
【発明を実施するための形態】
【００１０】
図４は、一般的な電気自動車である。走行効率から一般的に６の前輪駆動車が多い。したがって１３の後輪は補助的な役割であり、この後輪に７のホイール型発電機を取り付ける。１４のバッテリーは電気自動車では大きな容積である。現状のバッテリー容量であれば走行距離を長くでき、同程度の走行距離でよければ、バッテリー個数を少なくすることが可能である。
【実施例】
【００１１】
７のホイール型発電機を装着することにより、ガソリン車に近い走行距離が可能になり、本格的な電気自動車といえる。それはまさに環境対策の為にも画期的自動車であり、ＣＯ2の削減に大きな力を発揮すると思われます。
【符号の説明】
【００１２】
1  永久磁石
2  ホイール
3  カバー
4  コイル
5  重り
6  駆動輪
7  ホイール型発電機
8  アクセルペダル
9  トランスミッション
10  前輪
11  駆動モータ
12  モータコントローラ
13  後輪  
14  バッテリー
【図１】
2012065478.tif 000003
【図２】
2012065478.tif 000004
【図３】
2012065478.tif 000005
【図４】
2012065478.tif 000006
(57)【要約】【課題】低出力域において損失の低い、変換効率のよい電力変換装置を提供する。【解決手段】各アームに複数の半導体スイッチングデバイスを備え、入力直流電圧を任意の周波数の交流電圧に変換する電力変換回路であって、入力直流電圧を半分の電圧に分割する電圧中点と、半導体スイッチングデバイスの片側アームの中点との間に、逆阻止能力を有す双方向スイッチを接続する。【選択図】図１
2012065429.tif 000002
【特許請求の範囲】
【請求項１】
各アームに複数の半導体スイッチングデバイスを備え、入力直流電圧を任意の周波数の交流電圧に変換する電力変換回路であって、
入力直流電圧を半分の電圧に分割する電圧中点と半導体スイッチングデバイスの片側アームの中点との間に、逆阻止能力を有す双方向スイッチを接続したことを特徴とする電力変換回路。
【請求項２】
各アームに複数の半導体スイッチングデバイスを備え、入力直流電圧を任意の周波数の交流電圧に変換し、その交流電圧を整流器により直流電圧に再変換するＤＣ−ＤＣ変換回路であって、
入力直流電圧を半分の電圧に分割する電圧中点と半導体スイッチングデバイスの片側アームの中点との間に、逆阻止能力を有す双方向スイッチを接続したことを特徴とする電力変換回路。
【発明の詳細な説明】
【技術分野】
【０００１】
この発明は、半導体スイッチングデバイスを用いた電力変換装置の回路に関する。
【背景技術】
【０００２】
半導体スイッチングデバイス、例えば絶縁ゲート型バイポーラトランジスタ（ＩＧＢＴ）などの素子の高速スイッチング機能を利用して電力変換を行う装置は、産業・インフラ用の大出力のものから、家庭用の小容量のものまで幅広く存在している。
産業、インフラ用の機器は比較的容量が大きく、直流電圧を単相の交流電圧に変換する回路形式として、特許文献１に示されるようなフルブリッジ型の電力変換回路が良く用いられている。
【先行技術文献】
【特許文献】
【０００３】
【特許文献１】特開2000−228881号公報（図６等）
【発明の概要】
【発明が解決しようとする課題】
【０００４】
しかしながら、入力の直流電圧が固定されているハードスイッチング型の高周波インバータもしくはＤＣ−ＤＣコンバータにおいて、低出力域に掛かるとスイッチング素子のオン時間（オンパルス）が短くなる。図５に示す従来の回路（図５はインバータの場合を示す）では、オンパルスのきわめて短い低出力域において、所望の出力が得にくくなったり、最悪の場合、要求される出力を与えるパルス幅で回路のスイッチング素子を駆動できなくなったりするという問題があった。
【０００５】
上記課題を解決する手段としては、入力の直流電圧を制御する方法が考えられる。
ところが、それを行うためには入力直流電圧の前段に更に電力変換回路が必要となり、
装置の大型化、高価化という別の課題が発生する。
本発明は上記の課題を、安価かつ簡便に解決する装置を提供するものである。
【課題を解決するための手段】
【０００６】
上記目的を達成するために本発明では、フルブリッジ型の電力変換回路の片側アームの中点と、何らかの手段によって２分割された入力直流電圧の中間電圧との間を、逆耐圧を持たせた双方向スイッチを介して接続させる。
そして、高出力時においては、該双方向スイッチは作動せず、1対の上下アームが作動するフルブリッジ運転を行う。
また、低出力時においては、双方向スイッチが接続されたアームのスイッチングデバイスを作動させず、双方向スイッチを全導通状態にすることで、ハーフブリッジ回路を構成する。
【発明の効果】
【０００７】
この発明によれば、ハーフブリッジ回路では同一出力条件において、オンパルスがフルブリッジ回路の２倍になるため、低出力域におけるオンパルスの極小化による悪影響を回避することが可能になる。この結果、高出力域までの全領域において、総合的に高効率の電力変換を行うことが可能となる。
【図面の簡単な説明】
【０００８】
【図１】この発明の第１の実施形態を示す回路図
【図２】この発明の第２の実施形態を示す回路図
【図３】この発明の第３の実施形態を示す回路図
【図４】この発明の第４の実施形態を示す回路図
【図５】従来のフルブリッジ回路図
【発明を実施するための形態】
【０００９】
図１、図２に本明細書において提案する電力変換回路を示す。図１はインバータ、図２はＤＣ−ＤＣコンバータとして構成した例である。もちろん、半導体スイッチング素子後段の負荷側の構成は図１、図２に示した方法に限るものではない。
ここでは、スイッチングアームと逆阻止能力を有す双方向スイッチング素子を一つのモジュールにパッケージングしたデバイスを用いることにより、所要のスイッチングモジュールを最小限に抑えることが可能となり、低コスト化はもちろん、低損失で安価に発明を実施することが可能である。
【００１０】
図１に本発明の第1の実施形態を示す。図１の回路は、直流入力電圧をスイッチングして交流電圧を出力するインバータ回路である。ここで、高出力時においては、双方向スイッチ５をオフし、1対の上下アームのスイッチング素子１〜４が作動するフルブリッジによる電力変換を行う。一方、低出力時においては、双方向スイッチ５が接続されたアームの半導体スイッチング素子１、２が作動せず、双方向スイッチ５を全導通状態にする。
【００１１】
図２に本発明の第２の実施形態を示す。図２の回路は、直流入力電圧をスイッチングして交流電圧に変換し、ダイオードにて構成される整流回路６によって、再度所望の直流電圧に変換するＤＣ−ＤＣ変換回路である。もちろん、交流から直流への再変換部は図２に示す形態に限定されるものではない。この例においても、高出力時においては、双方向スイッチ５をオフし、1対の上下アームのスイッチング素子１〜４が作動するフルブリッジによる電力変換を行い、低出力時においては、双方向スイッチ５が接続されたアームの半導体スイッチング素子１、２が作動させず、双方向スイッチ５を全導通状態とする。
図３には、図１の回路の亜種としての、出力部に変圧器７を挿入して入力と出力とを絶縁した回路を示す。
【００１２】
また図４には、図２の回路の亜種としての、インバータ部とダイオード整流器６との間に変圧器７を挿入して入力と出力とを絶縁した回路を示す。本実施例においても、交流から直流への再変換部は図４に示す形態に限定されるものではない。
いずれの形態においても、高出力時と低出力時に双方向スイッチのオン・オフを切替えるものであるが、この切替えにあたっては、例えば出力電圧などの指令値を、予め定めた基準値と比較する等、様々な手段が考えられる。
【符号の説明】
【００１３】
１、２、３、４…半導体スイッチング素子、５…双方向スイッチ、６…整流器、７…変圧器絶縁部。
【図１】
2012065429.tif 000003
【図２】
2012065429.tif 000004
【図３】
2012065429.tif 000005
【図４】
2012065429.tif 000006
【図５】
2012065429.tif 000007
(57)【要約】【課題】  植木鉢、プランター等に植えられた容器に全面に均等に給水し植物の育成を均等にする給水ノズルを提供することを課題とする。【解決手段】  柔軟性のあるチューブの長手方向に孔を開けその中に針金等を挿入し針金等の硬度を利用しチューブを容器形状に変形させ容器面に均等に給水できるチューブ式給水ノズルを提供する。【選択図】図１
2012065636.tif 000002
【特許請求の範囲】
【請求項１】
柔軟性を持つチューブの内側に針金等を挿入しチューブの一方に閉止栓を設けチューブの他方にはチューブ接続片または弁を取付ける、チューブの閉止栓に針金等の一方を固定し針金等の他方は固定せず、チューブには長手方向に１個以上複数の孔を等間隔に開ける、チューブと針金等長さの範囲で針金等を曲げることで自由な形状を作ることが可能、針金等は硬度により変形状態を保つことが出来き、チューブは柔軟性により復元力が発生する、またチューブ内の水圧力によりチューブが伸びる力が発生する、チューブの復元力と水圧による伸びる力の合計力より針金等の硬度が大きくなるチューブと針金等の組合せを行う、針金等の径よりチューブ内径は十分余裕のある口径にする、このチューブ内に圧力水を注入することでチューブの孔より水が出ることを特徴とする変形可能なチューブノズル。
【請求項２】
チューブは柔軟性がある材質で大気中水中でも劣化の無いものであれば何れでも良い、針金等材質は硬度により変形した状態が維持され大気中水中で腐食の無い材質なら何れでも良くチューブと針金等が同じ変形状態を維持する特徴を持つ請求項１の変形可能なチューブノズル。
【発明の詳細な説明】
【技術分野】
【０００１】  本発明は、植木鉢、プランター、地上植物への植物に給水する場合給水場所に効率よく給水するために、必要長さのチューブに孔を開け植木物の容器の形状及び植木物の幹形状に変形させ全面に給水可能にするための変形可能なチューブノズル。
【背景技術】
【０００２】  従来、植木鉢、プランターへの集中給水装置による給水は支柱形式の１個ノズルに依る給水が主流であり面積の広い容器への給水は複数個のノズルを設置して広い範囲の給水を行っている。
【発明の開示】
【発明が解決しようとする課題】
【０００３】  本発明は、植物の植込容器全面に効率よく給水することが可能となる様に柔軟性あるチューブに孔を開け給水が必要な容器形状範囲に短時間に均一に給水を行うことを課題とする。
【課題を解決するための手段】
【０００４】  柔軟性あるチューブに一方に閉止栓を設け他方はチューブ接続片又は弁を取り付けチューブに直線状に１個以上複数個の孔を等間隔に設け、その中に針金等を挿入し針金等の一方をチューブの閉止栓に固定し他方は自由な状態にする、チューブと針金等を対象物の形状に近似変形させ給水場所に設置する、設置チューブの移動を防止するため固定支柱を取付ける事で全面均等に給水が可能となり効率良く給水するノズルを提供する。
【発明の効果】
【０００５】  植木植物への植込み部に全面均等に給水することは植物の根の部分に均等にタイムリーに給水されることで均一に発育する。均一に給水できるため給水時間の短縮も可能。
既存の水遣り機にもそのまま使用することが可能。
【発明を実施するための最良の形態】
【０００６】  以下、本発明にかかる変形可能なチューブノズルの好適な実施の形態を添付する図１〜図４に基づき詳述する。図１の変形可能なチューブノズルの断面の概略を示し柔軟性の有るチューブ本体１内に針金等２閉止栓３給水出口孔４とチューブ接続片５の関係を示す。給水出口孔４はチューブ本体１に長手方向に等間隔に孔を開ける。チューブ本体１を外部より曲げると内部の針金等１も同時に曲げられる。曲げられた針金等２の硬度よりチューブ本体１の復元力が小さければチューブ本体１は曲げられた状態を維持する。【０００７】  図２は設置場所にチューブの固定とチューブと土との距離位置関係を保持するため着脱が容易な支柱を１個以上複数個取付け可能で取付け位置は自由に設定可能な事、変形状態の維持を利用した設置例である、植木鉢８プランター７の容器の形状に合わせたチューブ本体１の状態である。【０００８】  図３はチューブ本体１を支柱６で支持し容器内の土との関係保持概要図でありチューブ本体１の設置場所を保持する。チューブ本体１が長い場合は支柱６を複数個設置し設置位置の保持することも出来る。【０００９】  図４は給水源より供給される給水をヘッダー１１より各目的給水先に給水するための接続例を示す。給水ヘッダー１１の近くに給水目的物がある場合は給水ヘッダー１１の給水調整弁１０より接続チューブ９を使用しチューブ本体１のチューブ接続片５に接続して使用する。給水ヘッダー１１より離れている場合はチューブ本体１に給水調整弁８を取付け給水ヘッダー１１との間を接続チューブ９で接続して使用する。
【図面の簡単な説明】
【００１０】
【図１】  変形可能なチューブノズルの断面構造図である。
【図２】  変形可能なチューブノズル使用例図である。
【図３】  変形可能なチューブノズルと支柱の設定概略図である。
【図４】  変形可能なチューブノズルの使用例図である。
【符号の説明】
【００１１】  １      チューブ本体
２      針金等
３      閉止栓
４      給水出口孔
５      チューブ接続片
６      支持支柱
７      プランター
８      植木鉢
９      接続チューブ
１０      給水調整弁
１１      給水ヘッダー
【図１】
2012065636.tif 000003
【図２】
2012065636.tif 000004
【図３】
2012065636.tif 000005
【図４】
2012065636.tif 000006
(57)【要約】      （修正有）【課題】炭酸カルシウムの結晶の作り方および次世代ハードディスクの作り方を提供する。【解決手段】Ｃを８０度で燃焼→Ｃ＋、ＣａＯＨ２をＨＣｌ（塩化水素）と混合→Ｃａ、Ｃ＋とＣａを混合してこたつの赤外線照射９９分→結晶のＣＣａ２、硬度１５水圧カッターで切断できる、参考例：次世代ハードディスク１千万テラバイト、粉末の塗布では１ｍｍの厚さ（エチルアルコール使用）で車のバンパーコーティング。【選択図】なし【特許請求の範囲】
【請求項１】
炭酸カルシウムの結晶の作り方
【請求項２】
次世代ハードディスクの作り方
【発明の詳細な説明】
【技術分野】
【０００１】
【背景技術】
【０００２】
【先行技術文献】
【特許文献】
【０００３】
【特許文献１】
【特許文献２】
【非特許文献】
【０００４】
【非特許文献１】
【非特許文献２】
【発明の概要】
【発明が解決しようとする課題】
【・・・・】
【課題を解決するための手段】
【・・・・】
【発明の効果】
【・・・・】
【発明を実施するための形態】
【・・・・】
【実施例】
【・・・・】
【産業上の利用可能性】
【・・・・】
【符号の説明】
【・・・・】
【受託番号】
【・・・・】
【配列表フリーテキスト】
【配列表】
(57)【要約】【課題】緊急時等、サンダル状の履物を履いている時に走ろうとすると脱げ落ちてしまう為、サンダル状の履物を履いたままの足と履物を一体とする帯状の輪を提供する。【解決手段】柔らかく柔軟性があり、軽く小さく携帯可能な帯状の輪なので、緊急時等にすばやく装着でき、サンダル状の履物が足から脱げ落ちずに走ることを可能にする。【選択図】図１
2012250011.tif 000002
【特許請求の範囲】
【請求項１】
サンダル状の履物を履いた足に巻き、足と履物をと一体とする帯状の輪。
【請求項２】
柔らかく伸縮性のある材料な為、サンダル状の履物を履いたままの足に素早く巻きつけられる帯状の輪。
【請求項３】
軽く、小さい容易に携帯可能な帯状の輪。
【発明の詳細な説明】
【技術分野】
【０００１】本発明は、緊急に走らなければならなくなった時、サンダル状の履物を履いた足に巻きつけ、足と履物を一体とする帯状の輪に関するものである。
【背景技術】
【０００２】従来は、緊急時にサンダル状の履物を履いたまま走ろうとすると、脱げ落ちる。
脱げ落ちないようにするには紐で縛るか、ガムテープで巻く方法がある。。
【発明の開示】
【発明が解決しようとする課題】
【０００３】サンダル状の履物を履いて走る時は紐で縛るか、ガムテープで巻く事が必要だった。
本発明はこれらの問題を解決するためになされたものである。
【課題を解決するための手段】
【０００４】サンダル状の履物を履いたまま巻きつけられ、足とサンダル状の履物を一体とする帯状の輪である。
【発明の効果】
【０００５】サンダル状の履物を履いて走ろうとする時、足とサンダル状の履物を一体とする。
【発明を実施するための形態】
【０００６】柔らかな伸縮性の材料で作った、軽く小さく携帯・装着可能な帯状の輪である。
帯状の輪とは最初から輪とするもの、帯状として携帯し両端部を緊急時に接着、縫い合わせ、結んで輪状にするものも含み、帯状の輪で足とサンダル状の履物を一体後、甲の周りに巻く小さな帯状の輪も含む。
【図面の簡単な説明】
【０００７】
【図１】帯状の輪を巻いた斜視図Ａ
【図２】帯状の輪の側面図
【図３】帯状の輪の平面図
【図４】図１で、さらに甲の周りに小さな帯状の輪を巻いた斜視図Ｂ
【符号の説明】
【０００８】（１）足、（２）サンダル状の履物の突っ掛け部、（３）サンダル状の履物、
（４）足とサンダル状の履物を一体とする帯状の輪、
（５）足と履物を帯状の輪で一体後、さらに甲の部の周りを巻く小さな帯状の輪
【図１】
2012250011.tif 000003
【図２】
2012250011.tif 000004
【図３】
2012250011.tif 000005
【図４】
2012250011.tif 000006
(57)【要約】      （修正有）【課題】外箱と内箱にバネをつけた転倒防止具を提供する。【解決手段】外箱１の内側に自由に出入りする内箱２を設け、外箱１の上部に巻き取りバネを設け内箱２と接続して家具と天井との隙間をなくし、家具を固定させる。【選択図】図１
2012250001.tif 000002
【特許請求の範囲】
【請求項１】
外箱の内側に自由に出入りする内箱を設け、外箱の上部に巻き取りバネを設け内箱と接続させ、外箱と内箱の間に衝撃吸収ゴムを装着したことを特徴とする転倒防止具である。
【発明の詳細な説明】
【技術分野】
【０００１】  本発明は、外箱と内箱にバネをつけた転倒防止具に関するものである。
【背景技術】
【０００２】  従来、家具と天井との隙間をつっぱり棒で支えた転倒防止具があった。
【発明の開示】
【発明が解決しようとする課題】
【０００３】  そのために、次のような問題点があった。
（イ）一軸棒の上と下に板がついているだけなので、強度の揺れに耐える事ができず、本体そのものが不安定で倒れてしまう。
（ロ）家具と天井との隙間を固定させるには、一軸の棒を手でまわしてつっぱらせる作業があった。
（ハ）伸縮する間隔が小さいので、いろいろなサイズの家具他や部屋に対応できない。
（二）インテリアとして家具他や部屋に調和しにくい。
本発明は、これらの問題点を解決するためになされたものである。
【課題を解決するための手段】
【０００４】  外箱の内側に自由に出入りする内箱を設ける。外箱の上部に巻き取りバネを設け、内箱と接続する。外箱と内箱の間に衝撃吸収ゴムを装着する。以上を特徴とする転倒防止具である。
【発明の効果】
【０００５】    箱全体で家具と天井とを固定するので、強度の揺れにも耐える事ができる。
内箱が上に自動で移動するのでいろいろな隙間に対応ができ、作業もきわめて簡単に設置ができる。
デザインも家具調でいろいろな家具他や家具に調和する。
【発明を実施するための最良の形態】
【０００６】  以下、本発明の実施の形態について説明する。
（イ）外箱（１）の上部に巻き取りバネ（３）を装着させ、内箱（２）の下部に受木（４）を設け巻き取りバネ（３）と接続する。
（ロ）天板（５）の上部に弾力性ゴム（８）を設ける。
（ハ）地板（６）の下部にすべり止めシート（７）を設ける。
（二）外箱（１）と内箱（２）との間に衝撃吸収ゴム（９）を設ける。
本発明は以上のような構成で、これを使用するときは、外箱（１）に内箱（２）を片手で押さえて下にすべり込ませた状態で家具と天井との隙間に設置する。
内箱（２）が巻き取りバネ（３）の力で自動的に天井まで移動するので、設置する作業が簡単にできる。
内箱（２）を外箱（１）の中で上下にゆっくり移動させる時は自由に出入りするが、地震の揺れで強い力が加わると衝撃吸収ゴム（９）にストッパーの力が働き瞬時に家具を固定させ転倒防止になる。
しかも、すべり止めシート（７）と弾力性ゴム（８）が家具と天井他にキズを付けずに衝撃を抑えながら固定できる。
また図３に示すように、巻き取りバネ（３）の代わりに、圧縮バネ（１１）をすべり軸（１０）の中に装着してもよい。
また図６に示すように、巻き取りバネ（３）の代わりに、引きバネ（１２）を装着してもよい。
また図８に示すように、家具製作時に内箱（２）を家具本体（１３）の中に最初から内蔵してもよい。
圧縮バネ（１１）や引きバネ（１２）が内箱（２）を上に押し上げることにより、本発明と一体となって家具他の転倒防止になる。
【図面の簡単な説明】
【０００７】
【図１】本発明の斜視図
【図２】本発明の一部を切り欠いた側面図
【図３】本発明のほかの実施例を示す斜視図
【図４】本発明の一部を切り欠いた側面図
【図５】本発明の一部を切り欠いた断面図
【図６】本発明のほかの実施例を示す斜視図
【図７】本発明の一部を切り欠いた側面図
【図８】本発明のほかの実施例を示す斜視図
【符号の説明】
【０００８】１  外箱
２  内箱
３  巻き取りバネ
４  受木
５  天板
６  地板
７  すべり止めシート
８  弾力性ゴム
９  衝撃吸収ゴム
１０  すべり軸
１１  圧縮バネ
１２  引きバネ
１３  家具本体
【図１】
2012250001.tif 000003
【図２】
2012250001.tif 000004
【図３】
2012250001.tif 000005
2012250001.tif 000006
【図６】
2012250001.tif 000007
【図７】
2012250001.tif 000008
【図８】
2012250001.tif 000009
【手続補正書】
【提出日】平成23年7月8日(2011.7.8)
【手続補正１】
【補正対象書類名】図面
【補正対象項目名】全図
【補正方法】変更
【補正の内容】
【図１】
2012250001.tif 000010
【図２】
2012250001.tif 000011
【図３】
2012250001.tif 000012
【図４】
2012250001.tif 000013
【図５】
2012250001.tif 000014
【図６】
2012250001.tif 000015
【図７】
2012250001.tif 000016
【図８】
2012250001.tif 000017
(57)【要約】【課題】  従来のトイレットペーパー保持具に設置されたトイレットペーパーの切断は、片手で行うことは困難であり、すでに提案されている片手でトイレットペーパーを切断する保持具は、構造が複雑であり普及していない。市販されている従来のトイレットペーパー保持具のトイレットペーパー押え具に、簡単に設置でき、単純構造で、使用方法が簡単で、安価で形状がかわいいものは無い。  本発明は、これらの欠点を解決したトイレットペーパー切断具を提供する。【解決手段】  材質をプラスチックなどの軽量で安価な材料を使用し、皿のような台の上に、花や動物などの形をした突起物を設けた形状で、台の底部を、両面テープなどで市販のトイレットペーパー保持具のトイレットペーパー押え具の先端上部に貼り付け、片手で、トイレットペーパーを突起物に引っ掛けて、引きちぎって使用できることを特徴としたトイレットペーパー切断具。【選択図】図２
2012250005.tif 000002
【特許請求の範囲】
【請求項１】
台の上に、トイレットペーパーを引っ掛けて、引きちぎるための突起物を設け、台の底部を、トイレットペーパー保持具のトイレットペーパー押え具の先端上部に設置するようにしたトイレットペーパー切断具。
【発明の詳細な説明】
【技術分野】
【０００１】  本発明は、構造が単純、設置が簡単、安価で、片手で簡単にロール形状のトイレットペーパーを切断でき、次に使う時も簡単につまみ出せるトイレットペーパー切断具に関するものである。
【背景技術】
【０００２】  従来、市販されているトイレットペーパー保持具に設置されたロール形状のトイレットペーパーを切断する時は、片手で紙の回転を止め、もう一方の手でトイレットペーパーを引きちぎっている。トイレットペーパー保持具の中には、片手でトイレットペーパーを切断するものも提案されている。（特許文献１、特許文献２参照）。
【先行技術文献】
【０００３】
【特許文献１】特開２００５−２８８１１２号公報
【特許文献２】特開平８−１８２６３４号公報
【発明の概要】
【発明が解決しようとする課題】
【０００４】  従来のトイレットペーパー保持具に設置されたトイレットペーパーの切断は、片手で行うことは困難であり、すでに提案されている片手でトイレットペーパーを切断する保持具は、構造が複雑であり普及していない。市販されている従来のトイレットペーパー保持具のトイレットペーパー押え具に、簡単に設置でき、単純構造で、使用方法が簡単で、安価で形状がかわいいものは無い。
本発明は、以上の問題点を解決するものである。
【課題を解決するための手段】
【０００５】  材質をプラスチックなどの軽量で安価な材料を使用し、皿のような台の上に、トイレットペーパーを引っ掛けて、引きちぎるための、花や動物などの形をした突起物を設けた形状で、台の底部を、両面テープなどで、トイレットペーパー保持具のトイレットペーパー押え具の先端上部に貼り付ける。
以上の構成よりなるトイレットペーパー切断具。
【発明の効果】
【０００６】  構造が単純、設置が簡単、使用方法が簡単、安価、小型で軽量であり、交換も簡単なため、新しいものと交換して、その形状を楽しむことができる。トイレットペーパーを突起物に引っ掛け、引きちぎるだけなので、体の不自由な人でも、トイレットペーパーを切断できる。次に使う時も、トイレットペーパーの切断端部が突起物に引っ掛かっているため、簡単に摘み、引き続き使用することができる。
【図面の簡単な説明】
【０００７】
【図１】本発明をトイレットペーパー保持具の押え具に貼り付た斜視図
【図２】本発明の使用状態を示す斜視図
【発明を実施するための形態】
【０００８】  以下、本発明の実施の形態を説明する。
（イ）プラスチックなどの材料で製作した、皿のような台（２）と、台（２）の上に、ト      イレットペーパー（７）を引っ掛けて、引きちぎるための突起物（３）とを一体に      したものを、本発明のトイレットペーパー切断具（１）とする。
（ロ）トイレットペーパー切断具（１）の台（２）の底部を、両面テープ（４）などでト      イレットペーパー保持具（５）のトイレットペーパー押え具（６）の先端上部に貼      り付ける。
本発明は以上のような構造である。
本発明を使用するときは、トイレットペーパー（７）を引き出し、トイレットペーパー切断具（１）の突起物（３）にトイレットペーパーを引っ掛けて引きちぎる。
次に使うときは、トイレットペーパー切断端部（８）を摘み、突起物（３）から外し、必要な長さのトイレットペーパー（７）を引き出し、同様にトイレットペーパー切断具（１）の突起物（３）にトイレットペーパーを引っ掛けて引きちぎる。
【符号の説明】
【０００９】  １  トイレットペーパー切断具、２  台、３  突起物、４  両面テープ、５  トイレットペーパー保持具、６  トイレットペーパー押え具、７  トイレットペーパー、８  トイレットペーパー切断端部
【図１】
2012250005.tif 000003
【図２】
2012250005.tif 000004
(57)【要約】【課題】健康維持と健康増進の方法には、現在民間療法が沢山ある。自分や家族や仲間同士で何時でも何処でもでき、早く筋肉を柔らかし痛みなどの諸症状を改善することによって、健康維持と健康増進や老化を遅らせることも、不可能ではない。【解決手段】純アルミニューム製押圧棒又は塊状物を体表面に押し当て使用する刺激健康器具である。【特許請求の範囲】
【請求項１】
純アルミニューム製押圧棒又は塊状物などを体表面や骨皮に押し当て刺激するために使用する健康器具。
【発明の詳細な説明】
【技術分野】
【０００１】  本発明は、体表面や骨皮を刺激することで、靭帯や筋肉を柔らかくし、痛みや凝りなどの諸症状を改善するために、安全かつ簡単にできる健康維持と健康増進のための刺激健康器具に関するものである。
【背景技術】
【０００２】  肩こりなど痛みや凝りには一般家庭では湿布、マグネットの貼付や合成樹脂など硬質材料で出来た指圧具で、患部を擦り、揉む、叩くなどの方法やマッサージ器や家庭電器治療器など行われている。
【発明の開示】
【発明が解決しようとする課題】
【０００３】  従来の刺激する健康器具は、体表面や筋肉の刺激で改善しようと考えられていた。しかし、その効果は、気分的なもので、はっきり実感できないことが、多々あった。
【課題を解決するための手段】
【０００４】  本発明は一円硬貨で、確認したので以下に示す。
上肢の疲労は、手首から指先の刺激で殆ど改善できます。
親指、人指、中指、薬指、小指の間に約５枚の硬貨を挟み、握り力を入れると、強い刺激がありますが、自分の我慢が出来る範囲でしばらく我慢する、痛みが少なくなれば、これを外し、次に指先の刺激は、５指ともに指の爪、第１関節、第２関節、２枚硬貨ではさみ、痛みが無くなるまで揉む。自分の我慢が出来る範囲で、次に５指ともに指の骨皮に直角に硬貨で、５ｍｍ間隔で、指全体を押し刺激する。毎日繰り返し刺激すれば、上肢、肩、首までの靭帯や筋肉が柔らかくなり、痛みや凝りや疲労感など改善できる。
親指は三角筋前部、大胸筋鎖骨部、大胸筋胸助部が緩みます。他の４指は円回内筋と回外筋が緩めば菱形筋、頚筋、大円筋、小円筋、広背筋、大胸筋鎖骨部が緩みます。上腕二頭筋が緩めば、菱形筋、頚筋、大円筋、小円筋、広背筋、大胸筋鎖骨部が緩みます。上腕三頭筋が緩めば、広背筋、菱形筋、肩甲挙筋が緩みます。頚筋と指の関係ですが、人差し指は首の後方、中指はその前側、薬指は側面、小指はその前側の筋肉が緩みますので、刺激しながら確認できる。
下肢の疲労は足首から指先の刺激で殆ど改善できます。
足の指の間に約５枚の硬貨を挟み、各指に痛みを感じるくらいに、追加して、立つと、強い刺激がありますが、自分の我慢が出来る範囲でしばらく我慢する、痛みが少なくなれば、これを外し、次に指先の刺激は、５指ともに指の爪、第１関節、第２関節、２枚硬貨ではさみ、痛みが無くなるまで揉む。自分の我慢が出来る範囲で、次に５指ともに指の骨皮に直角に硬貨で、約５ｍｍ間隔で、指全体を押し刺激する。毎日繰り返し刺激すれば、下肢、腰、背中、首までの靭帯や筋肉が柔らかくなり、痛みや凝りや疲労感など改善できる。
私の考え方では、内部の異常や疲労の蓄積などは、骨皮を通じて、筋肉や皮膚の表面に現れる。骨皮まで刺激できる金属材料で、一円硬貨と同じ純アルミニューム製押圧棒又は塊状物を体表面に押し当て骨皮を刺激することで、早く靭帯や筋肉が柔らかくでき、凝りや痛みなどの諸症状を改善できる刺激健康器具である。
【発明の効果】
【０００５】  体調不良の人は、ほとんど上肢、下肢ともに、指に異常があることが解りました。上肢は手首から指先までの骨皮の刺激で、靭帯や筋肉を柔らできるので、腕、肩、首の凝りや痛みなど諸症状が改善できる。下肢は足首から指先までの骨皮の刺激で、靭帯や筋肉を柔らかくできるので、下肢、腰、背中、首まで筋肉が柔らかくなり、痛みや凝りや疲労感など改善できる。指だけの刺激で体全体に影響するとは考えていなかった。
【発明を実施するため形態】
【０００６】  本考案は一円硬貨で確認したので、純アルミニューム製押圧棒又は塊状物などが体表面に押し当て骨皮を刺激しやすい。
【産業上利用の可能性】
【０００７】  誰でも、何処でも、何時でも簡単にできる健康維持と健康増進法ある。予防や改善ができるので多くの人が利用していただければ医療費の削減になる。
【手続補正書】
【提出日】平成23年6月27日(2011.6.27)
【手続補正１】
【補正対象書類名】特許請求の範囲
【補正対象項目名】請求項１
【補正方法】変更
【補正の内容】
【請求項１】
アルミニューム製押圧捧又は塊状物などを体表面や骨皮に押し当て刺激するために使用する健康器具。
(57)【要約】【課題】従来、レモン搾り器はレモンを半分にカットして、切り口を下にして絞るのが一般的であった。レモンの果汁は果肉の部分に存在するが、レモンの香り成分は皮の表面側に微小な油胞の形で多く存在する。従来の果肉の部分を下にして絞る方法では、皮の表面に存在する油胞を破ることができず、香り成分が抽出できなかった。本発明は、以上の問題を解決するためになされたものである。【解決手段】果肉搾り用の突起の付いたふた部と、半分に切ったレモンの切り口を上にして入れるレモン搾り用の容器の内部に多数の微細な突起がある本体と、受け皿部からなるレモン搾り器。【選択図】図１
2012250002.tif 000002
【特許請求の範囲】
【請求項１】
レモン搾り用の容器の内側に微小な突起を設け、果肉の果汁と同時にレモンの表皮にある油胞を破壊して香り成分を抽出できるレモン搾り器。
【発明の詳細な説明】
【技術分野】
【０００１】本発明はレモン絞り器に関するものである。
【技術背景】
【０００２】従来、レモン搾り器はレモンを半分にカットして、切り口を下にして絞るのが一般的であった。
【発明の概要】
【発明が解決しようとする課題】
【０００３】レモンの果汁は果肉の部分に存在するが、レモンの香り成分は皮の表面側に微小な油胞の形で多く存在する。従来の果肉の部分を下にして絞る方法では、皮の表面に存在する油胞を破ることができず、香り成分が抽出できなかった。
本発明は、以上の問題を解決するためになされたものである。
【問題点を解決するための手段】
【０００４】果肉搾り用の突起の付いたふた部と、半分に切ったレモンの切り口を上にして入れる内部に多数の微細な突起がある本体と、受け皿部からなるレモン搾り器。
【発明の効果】
【０００５】本発明によりレモンの果肉の果汁と表皮の香り成分を同時に搾ることができる。
【図面の簡単な説明】
【０００６】
【図１】本発明の斜視図
【発明を実施するための形態】
【０００７】以下、本発明の実施の形態を図１により説明する。
（イ）本発明は、ふた部（１）と本体（２）と受け皿部（３）の３点により構成される。
（ロ）ふた部（１）には、果肉の果汁を絞るための果肉搾り用突起（５）と、ふた部（１）側面に、ふたを手で回転させやすいように、滑り止め用溝（４）を設ける。
（ハ）本体（２）は、２分割したレモンの切り口を上にして入れるためのレモン容器（６）と、受け皿部（３）に立てるための脚（８）からなる。
（ニ）レモン容器（６）の内側には、レモン表皮の油胞を破るための微小な突起（７）を多数設け、底部には果汁と香り成分を含んだ油分を流出させる開口（９）を設ける。
（ホ）受け皿部（３）の上面には、本体（２）を安定して設置するため、脚（８）をはめ込むための切り込み（１１）を設け、底面には受け皿部（３）を机などに安定して置くための滑り止め（１２）を設ける。
（ヘ）受け皿部（３）の側面には、皿にたまった搾り果汁を他の容器に注ぐための注ぎ口（１１）を設ける。
本発明は以上のような構造である。
【０００８】本発明の使用法は以下である。
（イ）中央部分と端部を切ったレモンを、本体（２）のレモン容器（６）に中央の切り口を上に向けて入れてふた部（１）を被せ、ふた部（１）を回転させながら押し下げる。
（ロ）ふたを押し下げる圧力により、ふたに付いている果肉搾り用突起（５）によりレモンの果肉が抽出される。
（ハ）同時に、ふたを押し下げる圧力により、レモンの表皮がレモン容器（６）の内側にある多数の微小な突起（７）に押し付けられ、表皮の表面近くにある香り成分の元である油脂を含んだ油胞を破壊する。
（ニ）抽出した果汁の一部は、レモン下部の切り口から出て、レモン容器（６）の開口（９）から流出する。一部はレモン上部よりあふれて、レモン容器（６）の内側表面を、油胞から出た油脂と一緒に流れてレモン容器（６）の開口（９）から流出する。
（ホ）流出した香り成分の元である油脂を含んだ果汁は、受け皿部（３）にたまり、注ぎ口（１１）より他の容器に注がれる。
【符号の説明】
【０００９】（１）ふた部、（２）本体、（３）受け皿部、（４）滑り止め用溝、（５）果肉搾り用突起、（６）レモン容器、（７）突起、（８）脚、（９）開口、（１０）溝、（１１）注ぎ口、（１２）滑り止め
【図１】
2012250002.tif 000003